(57)【要約】【課題】  簡単な操作により清掃対象装置を清掃することができる電子装置及び画像形成装置を提供する。【解決手段】  画像形成装置１０は、画像形成装置本体１２を開閉する開閉ドア１０２を有する。また、画像形成装置本体１２の側面には操作用窓１０８が設けられ、この操作用窓１０８を開閉する開閉カバー１１０が設けられている。開閉ドア１０２を開くと、連携部材１１２が現れ、この連携部材１１２を操作することにより、開閉カバーが動かされ、操作用窓１０８が開かれる。この操作用窓１０８には清掃部材が臨み、この清掃部材を動かすことにより例えば露光装置を清掃することができる。【選択図】          図１
2006039016.tif 000002
【特許請求の範囲】
【請求項１】
電子装置本体と、この電子装置本体に収納され、清掃を必要とする部分を有する清掃対象装置とを有し、前記電子装置本体に操作用窓が形成され、この操作用窓を開閉する開閉カバーと、この開閉カバーを開いた場合、前記操作用窓を介して前記清掃対象装置を清掃可能なように前記操作用窓に臨む清掃部材とを具備してなることを特徴とする電子装置。
【請求項２】
前記電子装置本体に設けられた開閉ドアと、この開閉ドアが開かれたときに前記清掃対象装置への通電を遮断するインターロックスイッチと、前記開閉ドアと前記開閉カバーとを連携させる連携部材とを有することを特徴とする請求項１記載の電子装置。
【請求項３】
前記清掃部材は、往復動自在に支持され、往又は復のいずれか一方に動かされたときに前記清掃対象装置を清掃することを特徴とする請求項１又は２記載の電子装置。
【請求項４】
画像形成装置本体と、この画像形成装置本体に収納され、清掃を必要とする部分を有する清掃対象装置とを有し、前記画像形成装置本体に操作用窓が形成され、この操作用窓を開閉する開閉カバーと、この開閉カバーを開いた場合、前記操作用窓を介して前記清掃対象装置を清掃可能なように前記操作用窓に臨む清掃部材とを具備してなることを特徴とする画像形成装置。
【請求項５】
前記画像形成装置本体の一側面には、前記操作用窓を開閉する開閉カバーのみが開閉機構として設けられていることを特徴とする請求項４記載の画像形成装置。
【請求項６】
前記画像形成装置本体に収納された像担持体の軸方向側に該画像形成装置本体のフレームを有し、少なくとも一方の前記フレーム側には前記操作窓を開閉する開閉カバーのみが開閉機構として設けられていることを特徴とする請求項４記載の画像形成装置。
【請求項７】
前記清掃対象装置は露光装置であって、清掃を必要とする部分が光を透過させるための透光部であることを特徴とする請求項４記載の画像形成装置。
【請求項８】
前記清掃対象装置は帯電装置であることを特徴とする請求項４記載の画像形成装置。
【請求項９】
前記清掃対象装置は像担持体であることを特徴とする請求項４記載の画像形成装置。
【請求項１０】
前記画像形成装置本体に設けられた開閉ドアと、この開閉ドアが開かれたときに前記清掃対象装置への通電を遮断するインターロックスイッチと、前記開閉ドアと前記開閉カバーとを連携させる連携部材とを有することを特徴とする請求項４乃至９いずれか記載の画像形成装置。
【請求項１１】
前記清掃部材は、往復動自在に支持され、往又は復のいずれか一方に動かされたときに前記清掃対象装置を清掃することを特徴とする請求項４乃至１０いずれか記載の画像形成装置。
【発明の詳細な説明】
【技術分野】
【０００１】
本発明は、電子装置に関し、プリンタ、複写機又はファクシミリ等の画像形成装置を含むものである。
【背景技術】
【０００２】
例えば電子写真方式の画像形成装置においては、一様に帯電された像担持体に露光装置により潜像を形成し、現像装置により潜像を可視像化し、転写装置により感光体のトナーを用紙に転写し、定着装置により定着させるようにしている。
露光装置は、ポリゴンミラー等の光学部品を露光装置本体内に収納して粉塵が光学部品に付着するのを防止している。露光装置本体には、光を透過させるため、例えば防塵ガラスからなる透光部が設けられる。
また、転写装置として、例えばコロトロンワイヤが用いられ、このコロトロンワイヤに高電圧を印加してトナーをシートに転写するようになっている。
【０００３】
上記露光装置の透光部に粉塵が付着すると、感光体への光が遮られ、画像が劣化してしまう。また、コロトロンワイヤに付着物が生成されると、帯電能力が劣化してしまう。
このため、露光装置の透光部や転写装置のコロトロンワイヤは清掃が必要であり、これら清掃対象装置を手動又は自動で清掃する清掃部材を設けることは従来から知られている。
例えば特許文献１においては、露光装置の防塵ガラスを着脱自在として清掃できるようにしたものが開示されている。また、例えば特許文献２においては、引き出し部材にコロトロンワイヤと接触するクリーニングパッドを設けたものが開示されている。
【０００４】
【特許文献１】特開平７−１２９０６０号公報
【特許文献２】特開２００２−１２７４９５号公報
【発明の開示】
【発明が解決しようとする課題】
【０００５】
しかしながら、特許文献１の防塵ガラスは開閉カバー内に設けられ、開閉カバーを大きく開かないと、防塵ガラスを取り出せず、清掃を行うことができない。また、特許文献２の引き出し部材は、画像形成装置の内部に収納され、開閉ドアを大きく開いて操作しなければ清掃を行うことができない。
【０００６】
そこで、本発明の目的は、簡単な操作により清掃対象装置を清掃することができる電子装置及び画像形成装置を提供することにある。
【課題を解決するための手段】
【０００７】
上記目的を達成するため、本発明の第１の特徴とするところは、電子装置本体と、この電子装置本体に収納され、清掃を必要とする部分を有する清掃対象装置とを有し、前記電子装置本体に操作用窓が形成され、この操作用窓を開閉する開閉カバーと、この開閉カバーを開いた場合、前記操作用窓を介して前記清掃対象装置を清掃可能なように前記操作用窓に臨む清掃部材とを具備してなる電子装置にある。したがって、電子装置本体に形成された操作用窓を開閉カバーにより開き、清掃部材を電子装置本体外から操作することにより清掃対象装置を清掃することができるので、清掃対象装置の清掃を簡単に行うことができる。
【０００８】
好適には、電子装置は、前記電子装置本体に設けられた開閉ドアと、この開閉ドアが開かれたときに前記清掃対象装置への通電を遮断するインターロックスイッチと、前記開閉ドアと前記開閉カバーとを連携させる連携部材とを有する。したがって、開閉ドアを開くと、インターロックスイッチが作動し、清掃対象装置への通電を遮断するので、清掃対象装置の作動を禁止することができ、安全性を確保することができる。
【０００９】
また、好適には、前記清掃部材は、往復動自在に支持され、往又は復のいずれか一方に動かされたときに前記清掃対象装置を清掃するように構成する。したがって、往又は復のいずれか一方に動かされたときに前記清掃対象部品を清掃するので、往復動により再び清掃対象装置を汚してしまうおそれを防止することができる。
【００１０】
本発明の第２の特徴とするところは、画像形成装置本体と、この画像形成装置本体に収納され、清掃を必要とする部分を有する清掃対象装置とを有し、前記画像形成装置本体に操作用窓が形成され、この操作用窓を開閉する開閉カバーと、この開閉カバーを開いた場合、前記操作窓を介して前記清掃対象装置を清掃可能なように前記操作用窓に臨む清掃部材とを具備してなる画像形成装置にある。したがって、画像形成装置本体に形成された操作用窓を開閉カバーにより開き、清掃部材を操作することにより清掃対象装置を清掃することができるので、清掃対象装置の清掃を簡単に行うことができる。
また、画像形成装置本体の一側面には、操作用窓を開閉する開閉カバーのみが開閉機構として設けることができ、これにより画像形成装置本体を覆うカバーの剛性を極端に損ねることがなく、必要に応じて肉厚の薄いカバーを採用することも可能になる。ここで、一側面とは画像形成装置の正面や背面も含む上面と下面を除いた側方のことである。
さらに、画像形成装置本体に収納された像担持体の軸方向側に画像形成装置本体のフレームを有し、少なくとも一方のフレーム側には操作用窓を開閉する開閉カバーのみが開閉機構として設けることができ、これによりフレームに清掃用の大きな開口を形成する必要が無く、画像形成装置本体の剛性を損なうことを抑制することができる。
【００１１】
ここで、清掃対象装置は露光装置、帯電装置、像担持体その他の装置であって、画像形成を行う上で清掃を必要とするものである。
【００１２】
上記画像形成装置においても同様に、好適には、前記画像形成装置本体に設けられた開閉ドアと、この開閉ドアが開かれたときに前記清掃対象装置への通電を遮断するインターロックスイッチと、前記開閉ドアと前記開閉カバーとを連携させる連携部材とを有するように構成することができ、これにより開閉ドアの閉動作で開閉カバーを閉めることが可能となり、開閉カバーを閉め忘れても画像形成装置を正常に動作する状態にすることができる。また、万が一、開閉ドアと開閉カバーとが連携せずに開閉ドアの閉動作で開閉カバーが閉まらない場合は、インターロックスイッチが電通を遮断したままの状態となり、画像形成装置が動作不能になるので、安全性を確保することができる。また、好適には、前記清掃部材は、往復動自在に支持され、往又は復のいずれか一方に動かされたときに前記清掃対象装置を清掃するように構成する。
【発明の効果】
【００１３】
本発明によれば、簡単に清掃対象装置を清掃することができる電子装置又は画像形成装置を提供することができる。
【発明を実施するための最良の形態】
【００１４】
次に本発明の実施形態を図面に基づいて説明する。
図１及び図２において、本発明の実施形態に係る画像形成装置１０が示されている。画像形成装置１０は、画像形成装置本体１２を有し、この画像形成装置本体１２の上部に排出部１４が設けられていると共に、この画像形成装置本体１２の下部に例えば１段の給紙ユニット１６が配置されている。
【００１５】
給紙ユニット１６は、給紙ユニット本体１８と、用紙が収納される給紙カセット２０とを有する。給紙カセット２０の奥端近傍上部には、給紙カセット２０から用紙を供給するフィードロール２２、及び、供給される用紙を１枚ずつ捌くリタードロール２４が配置されている。
【００１６】
搬送路２６は、フィードロール２２から排出口２８までの用紙通路であり、この搬送路２６は、画像形成装置本体１２の裏側（図２の右側面）近傍にあって、給紙ユニット１６から後述する定着装置９２まで略垂直に形成されている。この搬送路２６の定着装置９２の上流側に後述する二次転写ロール８２と二次転写バックアップロール７６とが配置され、二次転写ロール８２と二次転写バックアップロール７６の上流側にレジストロール３０が配置されている。このレジストロール３０と、フィードロール２２及びリタードロール２４との間には、搬送ロール３２が設けられている。また、搬送路２６の排出口２８の近傍には排出ロール３４が配置されている。
【００１７】
したがって、給紙ユニット１６の給紙カセット２０からフィードロール２２により送り出された用紙は、リタードロール２４により捌かれて最上部の用紙のみ搬送路２６に導かれ、レジストロール３０により一時停止され、タイミングをとって後述する二次転写ロール８２と二次転写バックアップロール７６との間を通ってトナー像が転写され、この転写されたトナー像が定着装置９２により定着され、排出ロール３４により排出口２８から排出部１４へ排出される。
【００１８】
画像形成装置本体１２には、例えば略中央部にロータリ現像器３８が配置されている。ロータリ現像器３８は、現像器本体４０、上板４２及び底板４４から構成される。現像器本体４０は、イエロー（Ｙｅｌｌｏｗ）、マゼンタ（Ｍａｇｅｎｔａ）、シアン（Ｃｙａｎ）及び黒（Ｂｌａｃｋ）の４色のトナー像をそれぞれ形成する現像部４６ａ〜４６ｄを有し、ロータリ現像器中心４８を中心として左回り（図２において反時計回り）に回転する。現像部４６ａ〜４６ｄそれぞれは、現像ロール５０ａ〜５０ｄを有し、例えばコイルスプリングなどの弾性体５２ａ〜５２ｄにより、現像器本体４０の法線方向に押圧されている。即ち、現像部４６ａ〜４６ｄの現像ロール５０ａ〜５０ｄは、ロータリ現像器中心４８を中心として、それぞれ９０°の間隔で現像器本体４０の外周に配置され、例えば感光体からなる像担持体５４に当接して像担持体５４上の潜像をそれぞれの色のトナーで可視化する。
【００１９】
像担持体５４は、ロータリ現像器３８に当接するように配置されており、この像担持体５４の下方には、該像担持体５４を一様帯電する例えば帯電ロールからなる帯電装置５６が設けられている。また、像担持体５４には、該像担持体５４の回転方向の帯電装置５６よりも上流側に第１のクリーナ５８が当接している。第１のクリーナ５８は、例えば一次転写後に像担持体５４に残留するトナーを掻き取るクリーニングブレード６０と、クリーニングブレード６０が掻き取ったトナーを回収する第１のトナー回収ボトル６２とから構成される。
【００２０】
ロータリ現像器３８の下方には、帯電装置５６により帯電された像担持体５４に、レーザ光により潜像を書き込む露光装置６４が配置されている。この露光装置６４は、露光装置本体６４１と、この露光装置本体６４１内に収納されたポリゴンミラー６４２及び反射ミラー６４３等の光学系から構成されている。露光装置本体６４１には、走査されたレーザ光を発するための出射口６４４が形成され、この出射口６４４にレーザ光が透過するガラス等から構成された透光部６４５が設けられている。この透光部６４５の上方に後述する清掃部材１０２が設けられている。
【００２１】
ロータリ現像器３８の上方には、ロータリ現像器３８によって可視化されたトナー像を一次転写する中間転写装置６６が設けられている。この中間転写装置６６は、例えば中間転写ベルトなどの中間転写体６８、一次転写ロール７０、ラップインロール７２、ラップアウトロール７４、二次転写バックアップロール７６、スクレーパバックアップロール７８及びブラシバックアップロール８０から構成される。中間転写体６８は弾性を有し、像担持体５４に所定の範囲だけ巻きついて、像担持体５４の回転に従動して回動する。つまり、中間転写体６８は、一次転写ロール７０の上流に配置されたラップインロール７２と、一次転写ロール７０の下流に配置されたラップアウトロール７４との間で像担持体５４にラップ状に当接し、一次転写ロール７０によって像担持体５４上のトナー像を例えばイエロー、マゼンタ、シアン、黒の順に重ねて一次転写され、この一次転写されたトナー像を後述する二次転写ロール８２に向けて搬送する。
なお、ラップインロール７２及びラップアウトロール７４は、像担持体５４から離間している。
【００２２】
スクレーパバックアップロール７８は、二次転写後に中間転写体６８に残留するトナーを後述するスクレーパ８６が掻き取ることを補助し、ブラシバックアップロール８０は、二次転写後に中間転写体６８に残留するトナーを後述するブラシロール８８が掻き取ることを補助する。
【００２３】
中間転写装置６６の二次転写バックアップロール７６には、搬送路２６を挟んで二次転写ロール８２が対峙している。つまり、二次転写ロール８２と二次転写バックアップロール７６との間が二次転写位置となっており、二次転写ロール８２は、二次転写バックアップロール７６の補助により、中間転写体６８に一次転写されたトナー像を二次転写位置で用紙に二次転写する。ここで、二次転写ロール８２は、中間転写体６８が３回転する間、すなわちイエロー、マゼンタ、シアンの３色のトナー像を保持する際には中間転写体６８から離間しており、黒のトナー像が転写されると中間転写体６８に当接するようにされている。なお、二次転写ロール８２と二次転写バックアップロール７６との間には、所定の電位差が生じるようにされており、例えば二次転写ロール８２を高電圧にした場合には、二次転写バックアップロール７６はグランド（ＧＮＤ）などに接続される。
【００２４】
中間転写装置６６の二次転写位置よりも下流側には、第２のクリーナ８４が当接している。第２のクリーナ８４は、例えば二次転写後に中間転写体６８に残留するトナーを掻き取ってクリーニングするスクレーパ８６と、スクレーパ８６によるクリーニング後に残ったトナーをさらに掻き取るブラシロール８８と、スクレーパ８６およびブラシロール８８によって掻き取られたトナーを回収する第２のトナー回収ボトル９０とから構成される。スクレーパ８６は、例えばステンレスの薄板からなり、所定の電圧がかけられている。ブラシロール８８は、例えば導電性の処理がなされたアクリルなどのブラシからなる。また、中間転写体６８にトナー像を保持する間には、スクレーパ８６及びブラシロール８８は、中間転写体６８から離間しており、所定のタイミングでこれらが一体となって中間転写体６８に当接するようにされている。
【００２５】
二次転写位置の上方には、定着装置９２が配置されている。定着装置９２は、加熱ロール９４と加圧ロール９６とを有し、二次転写ロール８２及び二次転写バックアップロール７６により用紙に二次転写されたトナー像を用紙に定着させ、排出ロール３４に向けて搬送する。
【００２６】
像形成ユニット９８は、像担持体５４、帯電装置５６、中間転写装置６６、第１のクリーナ５８及び第２のクリーナ８４を一体化したものである。この像形成ユニット９８は、排出部１４の傾斜部３６に直近下方に配置されている。
【００２７】
なお、画像形成装置本体１２には制御部１００が設けられ、この制御部１００により、用紙が搬送路２６を通過するタイミング、露光装置６４が像担持体５４を露光するタイミング、中間転写体６８にトナー像を転写するタイミング、中間転写体６８のトナー像を用紙に転写するタイミング等が制御される。
【００２８】
画像形成装置本体１２の正面（図２の左側）には、開閉ドア１０２が設けられている。この開閉ドア１０２は、画像形成装置本体１２の側面に設けられて支点１０４を中心に回動できるようにしてある。この開閉ドア１０２を開くことにより、現像部４６ａ〜４６ｄの交換作業等を行うことができるようになっている。また、この開閉ドア１０２の先端に対向してインターロックスイッチ１０６が画像形成装置本体１２に設けられている。このインターロックスイッチ１０６は、開閉ドア１０２が開かれると電源回路を開き、帯電装置５６、露光装置６４等への通電を遮断する。また、図１に示すように、画像形成装置本体１２の側面には操作用窓１０８が形成されていると共に、この操作用窓１０８の内側には開閉カバー１１０が操作用窓１０８を開閉できるように設けられている。操作用窓１０８は、後述する清掃部材１４２を操作するのに足りる程度の比較的小さな開口面積を有する。したがって、操作用窓１０８の開口面積を小さくしているので、例えば露光装置６４から発せられたレーザ光が外部へ漏れるおそれを少なくすることができる。また画像形成装置内部の汚染物、例えば浮遊トナーや清掃対象装置から掻きとった汚れが、操作者の手指や衣服を汚すおそれを少なくすることができる。開閉カバー１１０には、開閉ドア１０２の開閉に連携するように後述する連携部材１１２が接続されている。
【００２９】
図３乃至図８において、連携部材１１２の詳細及びその周辺部分が示されている。連携部材１１２は棒状に形成され、連携部材１１２の一端に開閉カバー１１０がねじ等を介して接続されている。また、連携部材１１２の他端には把持部１１４が形成され、この把持部１１４が開閉ドア１０２に臨んでいる。画像形成装置本体１２の側面は、図９に示すように、内側フレーム１１６と外側カバー１１８とが結合して構成されており、開閉カバー１１０及び連携部材１１２は外側カバー１１８に摺動自在に支持されている。即ち、外側カバー１１８には、カバーガイド１２０，１２０と連携部材ガイド１２２，１２２が形成されており、このカバーガイド１２０，１２０と連携部材ガイド１２２，１２２のそれぞれの間に開閉カバー１１０と連携部材１１２とが摺動自在に配置され、さらに、外側カバー１１２に固定されたガイド部材１２４により押さえられている。
【００３０】
ガイド部材１２４は、図８に示すように、一次ストッパ１２６が該ガイド部材１１６のほぼ中央で弾性を持つように形成されている。この一次ストッパ１２６には連携部材側に半球状に突出する凸部１２８が形成されている。一方、連携部材１１２には、例えば２つの円形の係合孔１３０，１３０が所定距離を隔てて形成されている。連携部材１１２を引き出した場合と押し込めた場合とで凸部１２８がいずれか一方の係合孔１３０に係合し、クリック感を出すようにしてある。
【００３１】
連携部材１１２には、一端に第１のストッパ１３２が設けられ、また、一端やや手前の部分に第２のストッパ１３４が形成されている。第１のストッパ１３２は、連携部材１１２を押し込めた場合に操作用窓１０８の近傍で外側カバー１１８に形成された第１のストッパ受け１３６に当接して連携部材１１２を位置規制し、第２のストッパ１３４は、連携部材１１２を引き出した場合に外側カバー１１８に形成された第２のストッパ受け１３８に当接して連携部材１１２を位置規制する。
【００３２】
したがって、開閉ドア１０２を開き、図５に示すように、連携部材１１２の把持部１１４を摘んで連携部材１１２を引き出すと、図５に示すように、連携部材１１２と共に開閉カバー１１０が開閉ドア方向に摺動し、操作用窓１０８が開き、第２のストッパ１３４が第２のストッパ受け１３８に当接して位置規制される。このとき、連携部材１１２の一方の係合孔１３０がガイド部材１２４の凸部１２８に係合し、クリック感を生じさせる。また、図５に示す状態から連携部材１１２を押し込めると、図６に示すように、連携部材１１２と共に開閉カバー１１０が反開閉ドア方向に摺動し、操作用窓１０８が閉じられ、第１のストッパ１３２が第１のストッパ受け１３６に当接して位置規制される。このとき、連携部材１１２の他方の係合孔１３０がガイド部材１２４の凸部１２８に係合し、クリック感を生じさせる。
【００３３】
上記のように、連携部材１１２を押し込めると、操作用窓１０８を閉じることができるが、連携部材１１２の押し込みは、図３に示すように、開閉ドア１０２を閉じることによっても行うことができる。即ち、開閉ドア１０２には、連携部材１１２の把持部１１４が当接する連携部材受け１４０が設けられ、連携部材１１２が引き出された状態で開閉ドア１０２を所定角度以上に閉じると、連携部材１１２の把持部１１４が連携部材受け１４０に当接し、開閉ドア１０２の閉動作に伴って連携部材１１２が摺動し、開閉カバー１１０が操作用窓１０８を閉じる。
【００３４】
操作用窓１０８には清掃部材１４２の一端が臨み、操作用窓１０８を開くことにより、清掃部材１４２が外部から操作可能となる。
【００３５】
図９乃至図１１において、清掃部材１４２の詳細及びその周辺部分が示されている。清掃部材１４２は棒状で、操作用窓１０８に臨む一端に摘み部１４４が形成され、他端には軌道切替部１４６が下方及び左右に突出するように形成されている。この軌道切替部１４６の先端下面にはマイラ等の薄い弾性体１４８が設けられている。また、清掃部材１４２の中央長手方向には、前述した露光装置６４の出射口６４４に対応して第１の光通過部１５０が形成されている。さらに、軌道切替部１４６のやや手前には清掃本体部１５２が下方に突出するように設けられている。この清掃本体部１５２が露光装置６４の透光部６４５に接触して透光部６４５を清掃するようになっている。
【００３６】
支持部材１５４は、内側フレーム１１６の間に支持固定されており、この支持部材１５４に清掃部材１４２が挿入支持され、あるいは支持部材１５４の下方を摺動するようになっている。即ち、支持部材１５４の左右両側には支持レール部１５６，１５６が先端付近を除いて形成され、清掃部材１４２が挿入されたときにはこの支持レール部１５６，１５６に清掃部材１４２の軌道切替部１４６の両側が支持されて清掃部材１４２が摺動する。また、支持部材１５４の清掃部材挿入方向先端やや手前にはストッパ部１５８が下方に延びるように形成されており、清掃部材１４２を支持部材１５４に挿入したときには、図１１（ａ）に示すように、このストッパ部１５８に清掃部材１４２の先端が当接する。清掃部材１４２の先端がストッパ部１５４に当接すると、清掃部材１４２が支持部材１５４から下方に外れる。また、支持部材１５４のストッパ部１５４の手前には、第１の案内爪１６０が支持レール部１５６から続いて上方へ向くように形成されており、清掃部材１４２を引き抜く場合、図１１（ｂ）に示すように、この第１の案内爪１６０に清掃部材１４２の軌道切替部１４６の上面が当接して清掃部材１４２の清掃本体部１５２が露光装置６４の透光部６４５に接触するよう清掃部材１４２を案内する。清掃部材１４２が露光装置６４の透光部６４５を清掃する間は、清掃部材１４２の軌道切替部１４６が露光装置６４と支持部材１５４との間に挟まれて清掃部材１４２が案内される。さらに、支持部材１５４の反対側端やや手前には第２の案内爪１６２が支持レール部１５６から続いて下方へ向くように形成されており、清掃部材１４２を引き抜く場合、図１１（ｃ）に示すように、この第２の案内爪１６２に清掃部材１４２の軌道切替部１４６の下面が当接して清掃部材１４２が再び支持部材１５４内に収まるように案内する。一方、清掃部材１４６を押し込める場合は、図１１（ｄ）に示すように、清掃部材１４６は支持部材１５４内に収まるように案内される。
なお、支持部材１５４の中央長手方向には、前述した露光装置６４の出射口６４４に対応して第２の光通過部１６４が形成されている。
【００３７】
摺接部材１６６は、内側フレーム１１６に固定されている。この摺接部材１６６には、摺接面１６８が清掃部材１４２の反挿入方向で下方斜めに向くように形成されている。この摺接面１６８は、清掃部材１４２を引き抜く際に清掃部材１４２の清掃本体部１５２が摺接し、清掃本体部１５２に付着した粉塵等を剥ぎ取るようになっている。
【００３８】
次に上記実施形態において、露光装置６４の透光部６４５を清掃する場合の作用について説明する。
露光装置６４の透光部６４５を清掃する場合、まず開閉ドア１０２を開く。これによりインターロックスイッチ１０６が開かれ、帯電装置５６、露光装置６４等への通電が遮断される。開閉ドア１０２を開くと、連携部材１１２の把持部１１４が現れ、次にこの把持部１１４を持って連携部材１１２を正面方向に引く。連携部材１１２には開閉カバー１１０が接続されているので、連携部材１１２と共に開閉カバー１１０がカバーガイド１２０及び連携部材ガイド１２２に沿って正面方向に移動し、操作用窓１０８が開かれる。このとき、連携部材１１２の一方の係合孔１３０に係合していたガイド部材１２４の凸部１２８が連携部材１１２の他方の係合孔１３０に係合するように連携部材１１２が移動し、クリック感を生じさせる。連携部材１１２は、第２のストッパ１３４が第２のストッパ受け１３８に当接して位置規制される。
【００３９】
開閉カバー１１０が開かれると、清掃部材１４２の摘み部１４４が操作用窓１０８を介して現われ、次にこの清掃部材１４２の摘み部１４４を持って清掃部材１４２を引く。清掃部材１４２を引くと、清掃部材１４２の清掃本体部１５２が露光装置６４の透光部６４５を摺動し、透光部６４５の清掃が行われる。さらに清掃部材１４２を引くと、清掃部材１４２の清掃本体部１５２が摺接部材１６６の摺接面１６８に摺接し、清掃本体部１５２に付着した粉塵等が剥ぎ取られる。
【００４０】
次に清掃部材１４２を押し込むと、清掃部材１４２の軌道切替部１４６が支持部材１５４の支持レール部１５６に沿って移動する。このため、清掃部材１４２の清掃本体部１５２が露光装置６４の透光部６４５から上方に離れて移動し、再び清掃本体部１５２に粉塵等が付着するのを防止する。そして、清掃部材１４２をさらに押し込むと、清掃部材１４２の先端が支持部材１５４のストッパ部１５８に当接し、軌道切替部１４６が支持レール部１５６から外れて清掃部材１４２が下方へ落とし込まれ、図９に示す初期状態に戻される。
【００４１】
次に連携部材１１２を押し込めて開閉カバー１１０により操作用窓１０８を閉じる。操作用窓１０８を閉じるには連携部材１１２を動かしてもよいが、開閉ドア１０２を閉じることによっても行うことができる。即ち、開閉ドア１０２が所定角度まで閉じられると、開閉ドア１０２の連携部材受け１４０に連携部材１１２の把持部１１４が当接し、開閉ドア１０２を閉じる動作に従って連携部材１１２が押し込まれ、開閉カバー１１０により操作用窓１０８が閉じられる。開閉ドア１０２が閉じられるまではインターロックスイッチ１０６が閉じられることがないので、安全性を確保することができる。
【００４２】
図１２において、本発明に係る他の実施形態が示されている。この実施形態は、前述した実施形態とは、開閉カバー１１０の開閉機構を異にしている。前述した実施形態においては、開閉カバー１１０がスライド式であったのに対し、この実施形態においては、回転式としたものである。即ち、開閉カバー１１０は、操作用窓１０８の上方で外側カバー１１８に回動自在であるよう支持されていると共に、連携部材１１２にリンク１７０を介して連結されている。したがって、連携部材１１２を摺動させることにより開閉カバーが回動し、操作用窓１０８が開閉されるものである。
【図面の簡単な説明】
【００４３】
【図１】本発明の実施形態に係る画像形成装置を示す斜視図である。
【図２】本発明の実施形態に係る画像形成装置を示す断面図である。
【図３】本発明の実施形態に係る画像形成装置において、開閉ドアと連携部材との関係を示す側面図である。
【図４】本発明の実施形態に係る画像形成装置において、連携部材とその周辺構成を示す側面図である。
【図５】本発明の実施形態に係る画像形成装置において、操作用窓を開いた状態を示す斜視図である。
【図６】本発明の実施形態に係る画像形成装置において、操作用窓を閉じた状態を示す斜視図である。
【図７】本発明の実施形態に係る画像形成装置に用いた連携部材と開閉カバーとを示す斜視図である。
【図８】本発明の実施形態に係る画像形成装置に用いたガイド部材を示す斜視図である。
【図９】本発明の実施形態に係る画像形成装置において、清掃部材とその周辺構成を示す断面図である。
【図１０】本発明の実施形態に係る画像形成装置に用いた清掃部材と支持部材とを示す斜視図である。
【図１１】本発明の実施形態に係る画像形成装置において、清掃部材の動きを示す断面図である。
【図１２】本発明の他の実施形態に係る画像形成装置において、連携部材とその周辺構成を示す斜視図である。
【符号の説明】
【００４４】
１０    画像形成装置
１２    画像形成装置本体
５４    像担持体
５６    帯電装置
６４    露光装置
６６    中間転写装置
１０２  開閉ドア
１０６  インターロックスイッチ
１０８  操作用窓
１１０  開閉カバー
１１２  連携部材
１４２  清掃部材
【図１】
2006039016.tif 000003
【図２】
2006039016.tif 000004
【図３】
2006039016.tif 000005
【図４】
2006039016.tif 000006
【図５】
2006039016.tif 000007
【図６】
2006039016.tif 000008
【図７】
2006039016.tif 000009
【図８】
2006039016.tif 000010
【図９】
2006039016.tif 000011
【図１０】
2006039016.tif 000012
【図１１】
2006039016.tif 000013
【図１２】
2006039016.tif 000014